(57)【要約】【課題】従来の歯磨き用マスクは、前面の穴からブラシを入れて磨くのは使いにくいので、のれん状に切れ目を付けてなる切れ目や下部から歯ブラシを入れて磨きやすい歯磨き用マスクを提供する。【解決手段】柔軟にして吸水性があり、かつ透けて見える程度薄い不織布や紙によるシート片２により、口や鼻周りを覆う大きさの上部を折り返した縁部３を設け、その縁部３の中央に、一定の長さのアルミなどの柔らかい金属片５を取り付けてなるマスク体４を形成し、そのマスク体４の左右下端部から、上辺縁部３寄りまで二本の切れ目６，６を縦に設けてなる前記マスク体４の左右に耳掛け紐７，７を取り付けた歯磨き用マスク１を構成する。【選択図】図１
0003142360.tif 000002
【実用新案登録請求の範囲】
【請求項１】
歯を磨く時の磨き剤や水分が周りに飛散するのを防止するマスクであって、口周りを覆う大きさのシート片でなるマスク体を形成し、そのマスク体の下端部から上部の縁寄りまで縦の切れ目を二本以上複数本設けた前記マスク体の左右に、耳掛け紐を取り付けてなる構成を特徴とする歯磨き用マスク。
【請求項２】
前記するマスク体の上辺に金属片を設けてなる請求項１記載の歯磨き用マスク。
【請求項３】
前記するマスク体の上辺にタックを設けてなる請求項１記載の歯磨き用マスク。
【請求項４】
前記するマスク体面に、図柄模様を施してなる請求項１又は請求項２又は請求項３に記載の歯磨き用マスク。
【考案の詳細な説明】
【技術分野】
【０００１】  本考案は、歯ブラシ、とりわけ電動歯ブラシを使用する際に、歯磨き液が飛散して周囲を汚さないための飛散防止用のマスクに関する。
【背景技術】
【０００２】  従来より、歯磨きをする際は歯ブラシに適量の歯磨き剤を付けたブラシを手に持って磨いているが、最近はコンパクトで様々な機能を有する電動歯ブラシを使用することが多い。【０００３】  また、歯磨きする際に飛散する液を防止するために、弾力性があるゴムやシリコン素材による浅い箱状のマスクに割れ目を設け、その割れ目からブラシを入れて磨くことにより、周囲に歯磨き液や水分を飛散させないマスクがある。（例えば、特許文献１参照）【０００４】  さらに、歯磨き用マスクとして、水分吸収性のある素材によるマスク本体の中ほどに丸や楕円状のブラシ挿入孔を設け、その挿入孔からブラシを入れて歯を磨くことで、歯磨きの飛沫が飛散しないことを目的する歯磨用マスクがある。（例えば、特許文献２参照）
【特許文献１】登録実用新案第３１２６９４７号公報
【特許文献２】特公平７−３８８６４公報
【考案が解決しようとする課題】
【０００５】  前記するような歯磨き用のマスクがあるが、前記する登録実用新案第３１２６９４７号公報によるマスクは、歯磨きする際に飛散する液を防止するために、弾力性があるゴムやシリコン素材による浅い箱状のマスクに割れ目を設け、その割れ目からブラシを入れて磨く飛散防止マスクであるが、マスク本体の素材が弾性あるとは言えゴムやシリコン製であるので、かなり薄く柔軟でないと割れ目から歯ブラシを出し入れすることは難しく、また割れ目を大きくすると出し入れしやすいが、飛散液が割れ目から飛び出してしまうなどの不便や欠点がある歯磨き液飛散防止マスクであった。
【０００６】  さらに特公平７−３８８６４公報に開示される技術は、水分吸収性素材によるシート状のマスク本体の中ほどに丸や楕円状のブラシ挿入孔を設け、その挿入孔からブラシを入れて歯を磨く歯磨用マスクである。しかしこのマスクはシート状マスクの中ほどに円形または楕円状の歯ブラシ挿入孔を設け、その挿入孔から歯ブラシを入れて磨くマスクであるが、挿入孔が小さいと歯ブラシを出し入れしにくく、また左右の歯をスムーズに磨くのも大変であり、特には挿入孔が破れて大きくなってしまう。さらに孔を大きくすると歯ブラシを出し入れしやすいが、肝心の歯磨きの飛沫が飛び出してしまうなどの不便や使いにくさがある歯磨き用マスクである。
【課題を解決するための手段】
【０００７】  本考案は前記するような歯磨きマスクのもつ不便や欠点を解消するために、請求項１においては、口周りを覆う大きさのシート片でなるマスク本体を形成し、そのマスク体の下端部から上部の縁部寄り近くまで縦の切れ目を二本以上設けた前記マスク体の左右に、耳掛け紐を取り付けた歯磨き用マスクとすることで、歯磨き剤や水分の飛散を防止できるものとする。
【０００８】  請求項２においては、前記するマスク体の上辺に金属片を取り付けることで、マスクの上辺を鼻に沿わせて安定して保持できるものとする。
【０００９】  請求項３においては、前記するマスク体の上辺にタックを設けることで、マスク体面をさらに立体的にして磨きやすく、かつ使いやすいものとする。
【００１０】  請求項４においては、前記するマスク体面に図柄模様を施すことにより、気分を変えたり楽しい雰囲気で使えるものとする。
【考案の効果】
【００１１】  本考案による歯磨き用マスクは、紙や不織布等の薄いシート素材で形成されるマスク体面に、下端部から二本又は複数本の切れ目を付けた暖簾状のマスクであるので、歯ブラシを出し入れするのも面倒はなく、またブラシの向きを変えて磨くにもマスクは軽いので、通常の歯磨きと同じ感覚でスムーズに使えるため、普通の歯ブラシはもとより、慣れない電動歯ブラシを使用する子供や高齢者でも周囲に歯磨き液や水分の飛散を効果的に防止できるうえ、使用後は使い捨てできる手軽な歯磨き用マスクを提供する。
【００１２】  また、マスク体は透かして見えるほど薄いので、歯ブラシをマスクの切れ目や下部から差し入れて歯に当てる状態が見えるので磨きやすい。さらに第３実施形態によるタイプは、マスク体の外形を蝶の形状とするとともに図柄模様を施しているので、一人で歯磨きを始めたばかりの子供等に興味を持たせられるので、楽しく歯磨き習慣を身に付けられるマスクである。加えて、怪我や病気で入院している患者はもとより、高齢で寝たきり生活している人を介護する場合は、周囲の寝具やベッド回りを汚さないで使えるため、介護者の負担軽減も図れるなど、シンプルにして機能的な使い捨て式の歯磨き用マスクである。
【考案を実施するための最良の形態】
【００１３】  本考案の歯磨き用マスクの第１の実施形態を、図１に示す正面図と図２に示す使用状態参考図で説明する。
第１の実施形態に示す歯磨き用マスク１は、柔軟にして吸水性があり、かつ透けて見えるほど薄い不織布や紙（以下、シート片と称す）でなるシート片２により、口や鼻周りを覆う大きさの上部を折り返した縁部３を設けてなるマスク体４を形成し、そのマスク体４の縁部３の中央に、一定の長さのアルミなどの柔らかい金属片５を取り付けるとともに、前記マスク体４の左右下端部から上辺縁部３寄りまで、二本の切れ目６，６を設けてなる前記マスク体４の左右上部に、柔らかく、かつ伸縮する耳掛け紐７，７を取り付けた歯磨き用マスク１を構成する。【００１４】  第１実施形態においては、マスク体４は透けるほど薄く、かつその左右には切れ目６，６を施しているので、使用する際は、図２に示すように電動歯ブラシＡは切れ目６やマスク体４の下部から口に差し入れやすく、また透けるほど薄いので電動歯ブラシＡの位置が分かるので的確に磨け、かつ磨き剤や水分の飛散を防止できる。さらにマスク体４は軽いので、歯ブラシを左右に移動したり反転する場合でも、マスクを付けていない時と同じ感覚で使える歯磨き用マスク１を形成する。【００１５】  第２実施形態の歯磨き用マスクを、図３に示す正面図で説明する。
第２実施形態による歯磨き用マスク１は、基本的には前記第１実施形態と同じであるが、切れ目６，６上部にタック８（つまみひだ）を設けたものである。
本実施形態によるマスク体５の上辺にはアルミ等の金属片４を取り付け、かつ左右に耳掛け紐７，７を設けたマスク体５の左右に設けた切れ目６，６の上部を二つ折りしたタック８，８を設けてなる歯磨き用マスク１を構成する。【００１６】  第２実施形態によるマスク体４は、前記第１実施形態と同様であるが、その左右に設けた二つの切れ目６，６上部にタック８，８を設けているため、マスク体４は両サイドが少し折れ曲げられて立体状を成すので、マスク体４を掛けると下方側が少し浮き上がるように掛け留められることで、歯ブラシを左右に移動したり向きを変えても磨きやすい。【００１７】  第３実施形態による歯磨き用マスクを、図４に示す背面図で説明する。
本実施形態における歯磨き用マスク１は、前記実施形態と基本的には同じであるが、外形が昆虫の蝶の形状を成し、かつ図柄模様９を施している。まず、マスク体４の外形は蝶の形状を成す上辺部に金属片５を取り付けた左右に切れ目６，６を設け、その上部にタック８を設けて成るマスク体４の左右に耳掛け紐７，７を取り付けてなる歯磨き用マスク１を構成する。【００１８】  第３実施形態によるマスク体４の外形は蝶を模す形状であるとともに、そのマスク体４面に図柄模様９を施し、かつその左右には切れ目６，６を２ケ所設けているので効果は前記タイプ同様でありながら、蝶の形状ととともに図柄模様９を施していることにより、子供などは毎日楽しみながら歯磨きをする習慣も身に付けられる。【００１９】  本考案は以上のような歯磨き用マスク１であるが、マスク体４をそれぞれ異なるカラータイプを備えてもよい。また第３実施形態のマスク体４の外形は一例として蝶の形を成しているが、口周りを覆う形状であれば他の形状でもよく、例えば子どもが好きなキャラクターでもよいし、いずれも特に限定するものではない
【図面の簡単な説明】
【００２０】
【図１】本考案の歯磨き用マスクの第１実施形態を示す正面図である。
【図２】第１実施形態の歯磨き用マスクの使用状態を示す参考図である。
【図３】第２実施形態の歯磨き用マスクを示す正面図である。
【図４】第３実施形態の歯磨き用マスクを示す背面図である。
【符号の説明】
【００２１】１  歯磨き用マスク
２  シート片
３  縁部
４  マスク体
５  金属片
６  切れ目
７  耳掛け紐
８  タック
９  図柄模様
Ａ  電動歯ブラシ
【図１】
0003142360.tif 000003
【図２】
0003142360.tif 000004
【図３】
0003142360.tif 000005
【図４】
0003142360.tif 000006